【事件の表示】
　特願２００２−２００５２６「画像データ処理装置およびヒストグラム表示方法」拒絶査定不服審判事件〔平成１５年　４月２５日出願公開、特開２００３−１２５２４０〕について、次のとおり審決する。
【結　論】
　本件審判の請求は、成り立たない。
【理　由】
第１　経緯
１．手続
　本件出願は、平成１４年７月９日（優先権主張平成１３年７月１８日）の出願であって、平成１９年１２月７日付けで手続補正がなされたが、平成２０年１月２４日付けで拒絶査定がなされたものである。
　本件は、上記拒絶査定を不服として平成２０年２月２７日付けで請求された拒絶査定不服審判であって、平成２０年３月２８日付けで手続補正（明細書又は図面について請求の日から３０日以内にする補正）がなされたものである。
　
２．査定
　原査定の理由は、概略、以下のとおりである。
　
　本願の請求項１ないし請求項１４に係る発明は、いずれも、その出願前日本国内又は外国において頒布された下記の刊行物１及び刊行物２に記載された発明に基いて、その出願前にその発明の属する技術の分野における通常の知識を有する者が容易に発明をすることができたものであるから、特許法第２９条第２項の規定により特許を受けることができない。
　　　　　　　　　　　　　記
刊行物１：特開２００１−９４８６２号公報
刊行物２：特開２０００−３３９４７１号公報
　
第２　補正の却下の決定
　平成２０年３月２８日付けの手続補正について次のとおり決定する。
　
［補正の却下の決定の結論］
　平成２０年３月２８日付けの手続補正を却下する。
　
［補正の却下の決定の理由］
１．補正の内容
　平成２０年３月２８日付けの手続補正（以下、「本件補正」ともいう）は、請求項１及び請求項２に係る以下の補正事項（以下、「補正事項１」及び「補正事項２」ともいう）を含むものである。
　
　補正事項１
　請求項１について、
　「画面全体に対して選択された一部の領域の画像データのヒストグラムを演算するヒストグラム演算手段と、
　前記ヒストグラム演算手段の演算結果を表示する表示手段と、を有し、
　前記ヒストグラム演算手段は、画面全体の画像データのヒストグラムも演算し、
　前記表示手段は、前記ヒストグラム演算手段により演算された画面全体の画像データのヒストグラムの演算結果と、前記選択された一部の領域の画像データのヒストグラムの演算結果とを識別できるように色又は模様を変えて表示することを特徴とする画像データ処理装置。」（補正前）
　とあるのを、
　「画面全体に対して選択された一部の領域の画像データからヒストグラムを演算するヒストグラム演算手段と、
　前記ヒストグラム演算手段の演算結果であるヒストグラムを表示する表示手段と、を有し、
　前記ヒストグラム演算手段は、前記画面全体に対して選択された一部の領域の画像データからヒストグラムを演算すると共に画面全体の画像データからもヒストグラムを演算し、
　前記表示手段は、前記ヒストグラム演算手段により演算された前記画面全体の画像データからの演算結果であるヒストグラムと前記選択された一部の領域の画像データからの演算結果であるヒストグラムとを、観察者が識別できるように色又は模様を変えて表示することを特徴とする画像データ処理装置。」（補正後）
　とする補正。
　
　補正事項２
　請求項２について
　「画面全体に対して選択された一部の領域の画像データのヒストグラムを演算するヒストグラム演算手段と、
　前記ヒストグラム演算手段の演算結果を表示する表示手段と、を有し、
　前記ヒストグラム演算手段は、画面全体の画像データのヒストグラムも演算し、
　前記表示手段は、前記ヒストグラム演算手段により演算された画面全体の画像データのヒストグラムの演算結果と前記選択された一部の領域の画像データのヒストグラムの演算結果とを識別できるように重ねて表示することを特徴とする画像データ処理装置。」（補正前）
　とあるのを、
　「画面全体に対して選択された一部の領域の画像データからヒストグラムを演算するヒストグラム演算手段と、
　前記ヒストグラム演算手段の演算結果であるヒストグラムを表示する表示手段と、を有し、
　前記ヒストグラム演算手段は、前記画面全体に対して選択された一部の領域の画像データからヒストグラムを演算すると共に画面全体の画像データからもヒストグラムを演算し、
　前記表示手段は、前記ヒストグラム演算手段により演算された前記画面全体の画像データからの演算結果であるヒストグラムと前記選択された一部の領域の画像データからの演算結果であるヒストグラムとを、観察者が識別できるように重ねて表示することを特徴とする画像データ処理装置。」（補正後）
　とする補正。
　
２．本件補正の適合性
（１）補正の範囲
　上記補正事項１及び補正事項２は、願書に最初に添付した明細書の記載（段落【００２４】，【００４１】，【００５６】〜【００６７】，【００７７】，【００８０】，【００８１】，【０１０４】，【０１０５】，【０１２０】，【０１２１】）に基づくものであり、願書に最初に添付した明細書、特許請求の範囲又は図面に記載した事項の範囲内においてする補正である。
　
（２）補正の目的
　上記補正事項１及び補正事項２は、「ヒストグラム演算手段」及び「表示手段」につき、その内容を限定するものであり、特許請求の範囲の減縮を目的とするものである。
　
（３）独立特許要件
　上記のように補正事項１及び補正事項２は、特許請求の範囲の減縮を目的とするものであるので、以下、独立特許要件について更に検討する。
　
　ア．補正後の請求項１及び請求項２に係る発明
　本件補正後の請求項１及び請求項２に係る発明（以下、「補正後発明１」及び「補正後発明１」ともいう）は、下記のとおりである。
　
　　　　　　　　　記（補正後発明１、再掲）
　「画面全体に対して選択された一部の領域の画像データからヒストグラムを演算するヒストグラム演算手段と、
　前記ヒストグラム演算手段の演算結果であるヒストグラムを表示する表示手段と、を有し、
　前記ヒストグラム演算手段は、前記画面全体に対して選択された一部の領域の画像データからヒストグラムを演算すると共に画面全体の画像データからもヒストグラムを演算し、
　前記表示手段は、前記ヒストグラム演算手段により演算された前記画面全体の画像データからの演算結果であるヒストグラムと前記選択された一部の領域の画像データからの演算結果であるヒストグラムとを、観察者が識別できるように色又は模様を変えて表示することを特徴とする画像データ処理装置。」
　
　　　　　　　　　記（補正後発明２、再掲）
「画面全体に対して選択された一部の領域の画像データからヒストグラムを演算するヒストグラム演算手段と、
　前記ヒストグラム演算手段の演算結果であるヒストグラムを表示する表示手段と、を有し、
　前記ヒストグラム演算手段は、前記画面全体に対して選択された一部の領域の画像データからヒストグラムを演算すると共に画面全体の画像データからもヒストグラムを演算し、
　前記表示手段は、前記ヒストグラム演算手段により演算された前記画面全体の画像データからの演算結果であるヒストグラムと前記選択された一部の領域の画像データからの演算結果であるヒストグラムとを、観察者が識別できるように重ねて表示することを特徴とする画像データ処理装置。」
　
　イ．刊行物の記載
　原査定の拒絶の理由に引用された刊行物１である特開２００１−９４８６２号公報（以下、「刊行物１」ともいう）には、図面と共に以下の事項が記載されている。
　
（刊行物１の記載）
《再生装置（プリンタ）》
【００５５】次に、上記カメラで撮影された画像を再生する再生装置を説明する。再生装置としては主に、記録媒体に印刷するプリンタを説明する。
【００５６】図１１は、第１の実施の形態に係る再生装置（プリンタ）のブロック図である。
【００５７】１１１はデータ入力部であり、図１に示すカメラで記録された画像ファイルを受け取る。１１２はデータ判別部であり、画像データ部、エリアデータ部、被写体エリア判別部、エリアテーブルで構成され、データ入力部１１１で受け取った画像ファイルから撮影画像とコードとを得、撮影画像を画像データ部へ格納する。コードに関しては、エリアテーブルに、図１に示すカメラのエリアパターンテーブル部７と同じ内容が格納されており、このエリアテーブルを用いてデコードして被写体情報エリアを得、被写体情報エリアをエリアデータ部に撮影画像と対応付けて格納する。
【００５８】１１３は画像処理部であり、撮影画像全体から、明るさ、色等に関するヒストグラム収集を行い、被写体情報エリア（フォーカシングされた被写体が写っているエリア）における画像の輝度情報や色情報を算出し、所望の出力状態に応じて画像データ特性変換を行う。１１４は画像出力部であり、画像処理部１１３の出力データに対して、出力形態や出力画像の大きさ等を考慮して、加色系のＲ，Ｇ，Ｂ特性から、減色系のＹ，Ｍ，Ｃ特性に変換してプリンタ部（図示せず）へ出力する。
【００５９】画像モニタ１１６には、撮影画像の再生画像、画像処理状態、画像データのヒストグラム、被写体情報エリア等が表示される。操作者は、画像モニタ１１６に表示される上記した内容を確認しながら、操作部１１５を介して入力操作を行う。
　
《再生装置のプリント時の動作》
【００６０】次に、上記のように構成される再生装置のプリント時の動作を、図１２を参照して説明する。
【００６１】図１２は、再生装置のプリント時の動作手順を示すフローチャートである。
【００６２】プリント動作が開始されると、データ入力部１１１が、カメラから送られた画像ファイルを内部に読み込む（Ｓ１２１）。もしデータが圧縮されているならば解凍動作を行う。
【００６３】読み込まれた画像ファイルは、データ判別部１１２で撮影画像とコードとに分けられる（Ｓ１２２）。もしこの時、コードがなかった場合には、図１２では図示を省略したが、画像の中央付近を被写体情報エリアとみなして、ステップＳ１２５〜Ｓ１２８を実行する。
【００６４】得られたコードを基に、データ判別部１１２はエリアテーブルを参照して、被写体情報エリアを獲得する（Ｓ１２３）。カメラ内の撮影画面にあらかじめ決められたエリアと再生装置（プリンタ）内の画像エリアは、略等しい比率で構成されており、またエリアパターンテーブル部７とエリアテーブルとは同じ内容のデータとなっているため、ここで獲得された被写体情報エリアは、カメラにおける被写体情報エリアと同じものとなる。
【００６５】獲得された被写体情報エリアが撮影画像に対応付けられ、フォーカシングされている被写体が写っているエリアにおける撮影画像が抽出される（Ｓ１２４）。この抽出された撮影画像は全体の撮影画像と共に画像処理部１１３に送られ、全体の撮影画像のヒストグラム、抽出された撮影画像のヒストグラム、それぞれの撮影画像の周波数分布等が作成される（Ｓ１２５）。
【００６６】これらのヒストグラムや周波数分布を基に画像補正が行われる（Ｓ１２６）。たとえば、被写体情報エリア内の画像ヒストグラムに、全体の画像ヒストグラムよりも肌色成分が多く含まれる場合には、被写体が人物の顔と判断して人物の顔に合った画像補正（例えばガンマ補正、、コントラスト調整、シャープネス調整、画像フィルタ選択）を行う。また、被写体情報エリアよりも上部における画像の周波数分布が低域に偏っており、かつその部分の画像ヒストグラムの色成分に青色成分が多く含まれている場合には、この上部画像は青空であると判断し、青空に合った画像補正を行う。また、被写体情報エリア内の画像の周波数分布に比べ、全体の画像の周波数分布が低域に偏っている時には、全体の画像に接写撮影によるボケ味が存在すると判断し、それに合った画像補正を行う。
（刊行物１の記載、以上）
　
　刊行物１の上記記載によると、「上記カメラで撮影された画像を再生する再生装置を説明する。再生装置としては主に、記録媒体に印刷するプリンタを説明する。」（【００５５】）とあって、具体的にはプリンタである「画像を再生する再生装置」が記載されている。
　
　刊行物１の段落【００６５】には、「獲得された被写体情報エリアが撮影画像に対応付けられ、フォーカシングされている被写体が写っているエリアにおける撮影画像が抽出される（Ｓ１２４）。この抽出された撮影画像は全体の撮影画像と共に画像処理部１１３に送られ、全体の撮影画像のヒストグラム、抽出された撮影画像のヒストグラム、それぞれの撮影画像の周波数分布等が作成される（Ｓ１２５）。」と記載されており、上記「抽出された撮影画像は全体の撮影画像と共に画像処理部１１３」に送られ、該「画像処理部１１３」で、上記「全体の撮影画像のヒストグラム、抽出された撮影画像のヒストグラム」が「作成される」ものと認められる。
　そうすると刊行物１記載の「画像を再生する再生装置」は、「全体の撮影画像のヒストグラムと抽出された撮影画像のヒストグラムを作成する画像処理部１１３」を有しているといえる。
　
　刊行物１の段落【００５９】には、「画像モニタ１１６には、撮影画像の再生画像、画像処理状態、画像データのヒストグラム、被写体情報エリア等が表示される。操作者は、画像モニタ１１６に表示される上記した内容を確認しながら、操作部１１５を介して入力操作を行う。」と記載されており、「上記した内容を確認」するのであるから、「上記した内容」である「撮影画像の再生画像、画像処理状態、画像データのヒストグラム、被写体情報エリア等」の「表示」は、それらが「確認」できるように表示されるものと認められ、したがって、刊行物１記載の「画像を再生する再生装置」は、「撮影画像の再生画像、画像処理状態、画像データのヒストグラム、被写体情報エリア等を操作者が確認できるように表示する画像モニタ１１６」を有し、「操作者は、画像モニタ１１６に表示される上記した内容を確認できる」ものといえる。
　
　以上によれば、刊行物１には、下記の発明（以下、「引用発明」ともいう）が記載されていると認められる。
　
　　　　　　　　　　　記（引用発明）
　「全体の撮影画像のヒストグラムと抽出された撮影画像のヒストグラムを作成する画像処理部１１３と、
　撮影画像の再生画像、画像処理状態、画像データのヒストグラム、被写体情報エリア等が表示される画像モニタ１１６と、を有し、
　操作者は、画像モニタ１１６に表示される上記した内容を確認できることを特徴とする画像を再生する再生装置。」
　
　ウ．対比
　補正後発明１及び補正後発明２と引用発明とを対比する。
　
　（ア）「画面全体に対して選択された一部の領域の画像データからヒストグラムを演算するヒストグラム演算手段」について
　刊行物１には、「獲得された被写体情報エリアが撮影画像に対応付けられ、フォーカシングされている被写体が写っているエリアにおける撮影画像が抽出される（Ｓ１２４）。この抽出された撮影画像は全体の撮影画像と共に画像処理部１１３に送られ、全体の撮影画像のヒストグラム、抽出された撮影画像のヒストグラム、それぞれの撮影画像の周波数分布等が作成される（Ｓ１２５）。」（【００６５】）と記載されており、この「抽出された撮影画像」は、全体の撮影画像のフォーカシングされている被写体が写っているエリアにおける撮影画像であり、「フォーカシングされている被写体が写っている」として選択された、全体の撮影画像に対して一部の領域の画像といえる。そして、この「抽出された撮影画像」の「ヒストグラム」が作成される。このヒストグラムの作成は「演算」といいうる処理であるといえる。
　そうであるから、引用発明の「画像処理部１１３」は、「画面全体に対して選択された一部の領域の画像データからヒストグラムを演算するヒストグラム演算手段」といいうる。
　したがって、補正後発明１及び補正後発明２と引用発明とは、「画面全体に対して選択された一部の領域の画像データからヒストグラムを演算するヒストグラム演算手段」を有する点で一致する。
　
　（イ）「前記ヒストグラム演算手段の演算結果であるヒストグラムを表示する表示手段」について
　刊行物１には、「画像モニタ１１６には、撮影画像の再生画像、画像処理状態、画像データのヒストグラム、被写体情報エリア等が表示される。操作者は、画像モニタ１１６に表示される上記した内容を確認しながら、操作部１１５を介して入力操作を行う。」（【００５９】）と記載されている。
　そして、上記（ア）で検討したように、「ヒストグラム」は、「ヒストグラム演算手段」の演算結果として作成されるものといえるから、上記「画像モニタ１１６」は、「ヒストグラム演算手段の演算結果であるヒストグラム」を表示するものといえる。
　そうすると、補正後発明１及び補正後発明２と引用発明とは、「前記ヒストグラム演算手段の演算結果であるヒストグラムを表示する表示手段」を有する点で一致する。
　
　（ウ）「前記ヒストグラム演算手段は、前記画面全体に対して選択された一部の領域の画像データからヒストグラムを演算すると共に画面全体の画像データからもヒストグラムを演算し」について
　上記（ア）で検討したように、刊行物１は、抽出された撮影画像は全体の撮影画像と共に画像処理部１１３に送られ、全体の撮影画像のヒストグラム、抽出された撮影画像のヒストグラム等が作成されるものであり、抽出された撮影画像からヒストグラムを演算すると共に全体の撮影画像からもヒストグラムを演算しているといえる。
　そうすると、補正後発明１及び補正後発明２と引用発明とは、「前記ヒストグラム演算手段は、前記画面全体に対して選択された一部の領域の画像データからヒストグラムを演算すると共に画面全体の画像データからもヒストグラムを演算し」ている点でも一致する。
　
　（エ）「前記表示手段は、前記ヒストグラム演算手段により演算された前記画面全体の画像データからの演算結果であるヒストグラムと前記選択された一部の領域の画像データからの演算結果であるヒストグラムとを、観察者が識別できるように色又は模様を変えて表示する」（補正後発明１）及び「前記表示手段は、前記ヒストグラム演算手段により演算された前記画面全体の画像データからの演算結果であるヒストグラムと前記選択された一部の領域の画像データからの演算結果であるヒストグラムとを、観察者が識別できるように重ねて表示する」（補正後発明２）について
　刊行物１には、「画像モニタ１１６には、撮影画像の再生画像、画像処理状態、画像データのヒストグラム、被写体情報エリア等が表示される。操作者は、画像モニタ１１６に表示される上記した内容を確認しながら、操作部１１５を介して入力操作を行う。」（【００５９】）と記載されており、上記「操作者」は、画像モニタ１１６に表示される上記した内容を確認できるから、確認のために、表示される内容をみる、すなわち、観察する者といえ、補正後発明１及び補正後発明２でいう「観察者」といえる。
　そうすると、補正後発明１及び補正後発明２と引用発明とは、「前記表示手段は、前記ヒストグラム演算手段により演算されたヒストグラムを、観察者が確認できるように表示する」点で一致する。
　もっとも、補正後発明１では、表示手段が、「前記画面全体の画像データからの演算結果であるヒストグラムと前記選択された一部の領域の画像データからの演算結果であるヒストグラムとを」、観察者が、「識別できるように色又は模様を変えて」表示しているのに対して、引用発明では、そのようにしていない点で相違する。
　また、補正後発明２では、表示手段が、「前記画面全体の画像データからの演算結果であるヒストグラムと前記選択された一部の領域の画像データからの演算結果であるヒストグラムとを」、観察者が、「識別できるように重ねて」表示しているのに対して、引用発明では、そのようにしていない点で相違する。
　
　（オ）「画像データ処理装置」
　引用発明の「画像を再生する再生装置」は、画像データを再生処理するものであって、画像データを処理するといえるから、補正後発明１及び補正後発明２と引用発明とは「画像データ処理装置」である点で一致する。
　
　エ．一致点・相違点
　以上の対比から、補正後発明１及び補正後発明２と引用発明との一致点及び相違点は以下のとおりである。
　
　［一致点］
　画面全体に対して選択された一部の領域の画像データからヒストグラムを演算するヒストグラム演算手段と、
　前記ヒストグラム演算手段の演算結果であるヒストグラムを表示する表示手段と、を有し、
　前記ヒストグラム演算手段は、前記画面全体に対して選択された一部の領域の画像データからヒストグラムを演算すると共に画面全体の画像データからもヒストグラムを演算し、
　前記表示手段は、前記ヒストグラム演算手段により演算されたヒストグラムを観察者に表示することを特徴とする画像データ処理装置。
　
　［相違点］
〈補正後発明１〉
　表示手段が、
　補正後発明１では、
　「前記画面全体の画像データからの演算結果であるヒストグラムと前記選択された一部の領域の画像データからの演算結果であるヒストグラムとを」、観察者が「識別できるように色又は模様を変えて」表示しているのに対して、
　引用発明では、そのようにしていない点。
　
〈補正後発明２〉
　表示手段が、
　補正後発明２では、
　「前記画面全体の画像データからの演算結果であるヒストグラムと前記選択された一部の領域の画像データからの演算結果であるヒストグラムとを」、観察者が「識別できるように重ねて」表示しているのに対して、
　引用発明では、そのようにしていない点。
　
　オ．相違点の判断
　補正後発明１と補正後発明２とは、ヒストグラムの表示態様に違いがあるのみなので併せて検討する。
　刊行物１には、「獲得された被写体情報エリアが撮影画像に対応付けられ、フォーカシングされている被写体が写っているエリアにおける撮影画像が抽出される（Ｓ１２４）。この抽出された撮影画像は全体の撮影画像と共に画像処理部１１３に送られ、全体の撮影画像のヒストグラム、抽出された撮影画像のヒストグラム、それぞれの撮影画像の周波数分布等が作成される（Ｓ１２５）。」（【００６５】）、「これらのヒストグラムや周波数分布を基に画像補正が行われる（Ｓ１２６）。たとえば、被写体情報エリア内の画像ヒストグラムに、全体の画像ヒストグラムよりも肌色成分が多く含まれる場合には、被写体が人物の顔と判断して人物の顔に合った画像補正（例えばガンマ補正、コントラスト調整、シャープネス調整、画像フィルタ選択）を行う。また、被写体情報エリアよりも上部における画像の周波数分布が低域に偏っており、かつその部分の画像ヒストグラムの色成分に青色成分が多く含まれている場合には、この上部画像は青空であると判断し、青空に合った画像補正を行う。また、被写体情報エリア内の画像の周波数分布に比べ、全体の画像の周波数分布が低域に偏っている時には、全体の画像に接写撮影によるボケ味が存在すると判断し、それに合った画像補正を行う。」（【００６６】）と記載されている。
　上記記載によれば、刊行物１では、画像補正を行うために、全体の撮像画像のヒストグラムとフォーカシングされている被写体が写っているエリアの抽出された撮影画像のヒストグラム（このヒストグラムが、画面全体に対して選択された一部の領域の画像データからのヒストグラムといえることは前述したとおりである。）との２つのヒストグラム、例えば、被写体情報エリア内の画像ヒストグラムに、全体の画像ヒストグラムよりも肌色成分が多く含まれるかどうかが判断できるように比較する処理を装置内部で実行しているといえる。
　また、刊行物１には、「画像モニタ１１６には、撮影画像の再生画像、画像処理状態、画像データのヒストグラム、被写体情報エリア等が表示される。操作者は、画像モニタ１１６に表示される上記した内容を確認しながら、操作部１１５を介して入力操作を行う。」（【００５９】）と記載されており、刊行物１では、表示手段（画像モニタ１１６）に、撮影画像の再生画像、画像処理状態、画像データのヒストグラム、被写体情報エリア等が表示され、観察者（操作者）は、表示手段（画像モニタ１１６）に画像処理状態や画像データのヒストグラムを表示して、その内容を確認することができるものといえる。
　そうすると、刊行物１において、全体の撮像画像のヒストグラムと抽出された撮影画像のヒストグラムとの２つのヒストグラムの比較を行う、例えば、被写体情報エリア内の画像ヒストグラムに、全体の画像ヒストグラムよりも肌色成分が多く含まれるかどうかが判断できるように比較を行う装置の処理を確認するために、表示手段（画像モニタ１１６）に、全体の撮像画像のヒストグラムと抽出された撮影画像のヒストグラムとの２つのヒストグラムを比較できるように表示することは当業者であれば容易に想到し得ることといえる。そして、その際、２つのヒストグラムを比較できるように表示する表示態様として、２つのヒストグラムを識別できるように、それぞれの色を変えたり、重ねて表示することは、一般のグラフ表示において、２つのグラフが識別できるように色や模様を変えたり、重ねて表示することが常套事項（例えば、棒グラフなどで２つ以上の値を比較するのに、棒グラフ自体の色や模様を変えたり、重ねて表示して識別できるようにすること。）であり、ヒストグラムもグラフの一種であることを考慮すると、当業者が普通に採用し得ることといえる。
　すなわち、引用発明において、表示手段が、「前記画面全体の画像データからの演算結果であるヒストグラムと前記選択された一部の領域の画像データからの演算結果であるヒストグラムとを」表示することは当業者であれば容易に想到できることといえ、その際、２つのヒストグラムの表示態様を、上記常套事項を採用して、補正後発明１のように、観察者が「識別できるように色又は模様を変えて」表示すること、あるいは補正後発明２のように、観察者が「識別できるように重ねて」表示することは、いずれも普通に採用し得ることである。
　したがって、
　引用発明において、
　表示手段が、「前記画面全体の画像データからの演算結果であるヒストグラムと前記選択された一部の領域の画像データからの演算結果であるヒストグラムとを」、観察者が「識別できるように色又は模様を変えて」表示するようにして補正後発明１のようになすこと、
　および、
　表示手段が、「前記画面全体の画像データからの演算結果であるヒストグラムと前記選択された一部の領域の画像データからの演算結果であるヒストグラムとを」、観察者が「識別できるように重ねて」表示するようにして補正後発明２のようになすこと
　は、当業者が容易に想到できることであり、
　また、補正後発明１、補正後発明２の奏する効果も予測できるものである。
　よって、補正後発明１及び補正後発明２は、刊行物１及び常套事項に基いて当業者が容易に発明をすることができたものである。
　
　カ．まとめ（独立特許要件）
　以上のように、本件補正後の請求項１及び請求項２に係る発明は、刊行物１及び常套事項に基いて当業者が容易に発明をすることができたものであるから、特許法第２９条第２項の規定により特許出願の際独立して特許を受けることができない。
　したがって、本件補正は、平成１８年法律第５５号改正附則第３条第１項によりなお従前の例によるとされる同法による改正前の特許法第１７条の２第５項において準用する同法第１２６条第５項の規定に適合しない。
　
（４）むすび（補正却下）
　以上のとおり、平成２０年３月２８日付けの手続補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　よって、補正の却下の決定の結論のとおり、決定する。
　
第３　本願発明
　平成２０年３月２８日付けの手続補正は上記のとおり却下する。
　本件出願の請求項１ないし請求項１４に係る発明は、明細書及び図面（平成１９年１２月７日付けの手続補正書により補正された明細書及び図面）の記載からみて、それぞれ、その特許請求の範囲の請求項１ないし請求項１４に記載した事項により特定されるとおりのものであるところ、そのうち、請求項１及び請求項２に係る発明（以下、「本願発明１」及び「本願発明２」ともいう）は、下記のとおりである。
　
　　　　　　　　　記（本願発明１）
　画面全体に対して選択された一部の領域の画像データのヒストグラムを演算するヒストグラム演算手段と、
　前記ヒストグラム演算手段の演算結果を表示する表示手段と、を有し、
　前記ヒストグラム演算手段は、画面全体の画像データのヒストグラムも演算し、
　前記表示手段は、前記ヒストグラム演算手段により演算された画面全体の画像データのヒストグラムの演算結果と、前記選択された一部の領域の画像データのヒストグラムの演算結果とを識別できるように色又は模様を変えて表示することを特徴とする画像データ処理装置。
　
　　　　　　　　　記（本願発明２）
　画面全体に対して選択された一部の領域の画像データのヒストグラムを演算するヒストグラム演算手段と、
　前記ヒストグラム演算手段の演算結果を表示する表示手段と、を有し、
　前記ヒストグラム演算手段は、画面全体の画像データのヒストグラムも演算し、
　前記表示手段は、前記ヒストグラム演算手段により演算された画面全体の画像データのヒストグラムの演算結果と前記選択された一部の領域の画像データのヒストグラムの演算結果とを識別できるように重ねて表示することを特徴とする画像データ処理装置。
　
第４　検討
１．刊行物の記載
　原査定の拒絶の理由に引用された刊行物１である特開２００１−９４８６２号公報には、上記「第２　２．（３）イ．刊行物の記載」で述べたとおりの記載、および引用発明が記載されている。
　
２．対比
　補正後発明１は、本願発明１に、上記「第２　１．」の補正事項１の補正をしたものであり、また、補正後発明２は、本願発明２に、上記「第２　１．」の補正事項２の補正をしたものである。
　したがって、本願発明１は、補正後発明１から補正事項１の補正を戻す関係にあり、また、本願発明２は、補正後発明２から補正事項２の補正を戻す関係にあり、その内容は、いずれも「ヒストグラム演算手段」及び「表示手段」に関する限定事項を削除する関係にある。
　そして、本願発明１及び本願発明２と引用発明との対比は上記「第２　２．（３）ウ．対比」と、上記削除される構成を除いて同様に対比される。
　
３．一致点・相違点
　以上の対比から、本願発明１及び本願発明２と引用発明との一致点及び相違点は、以下のとおりである。
　
［一致点］
　画面全体に対して選択された一部の領域の画像データのヒストグラムを演算するヒストグラム演算手段と、
　前記ヒストグラム演算手段の演算結果であるヒストグラムを表示する表示手段と、を有し、
　前記ヒストグラム演算手段は、画面全体の画像データのヒストグラムも演算し、
　前記表示手段は、前記ヒストグラム演算手段により演算されたヒストグラムを表示することを特徴とする画像データ処理装置。
　
［相違点］
〈本願発明１〉
　表示手段が、
　本願発明１では、
　「画面全体の画像データのヒストグラムの演算結果と、前記選択された一部の領域の画像データのヒストグラムの演算結果とを識別できるように色又は模様を変えて」表示しているのに対して、
　引用発明では、そのようにしていない点。
　
〈本願発明２〉
　表示手段が、
　本願発明２では、
　「画面全体の画像データのヒストグラムの演算結果、前記選択された一部の領域の画像データのヒストグラムの演算結果とを識別できるように重ねて」表示しているのに対して、
　引用発明では、そのようにしていない点。
　
４．判断
　［相違点］について、
　上記「第２　２．（３）オ．相違点の判断」を援用し、上記削除される構成を除いて同様に判断される。
　
　したがって、
　引用発明において、
　表示手段が、「画面全体の画像データのヒストグラムの演算結果と、前記選択された一部の領域の画像データのヒストグラムの演算結果とを識別できるように色又は模様を変えて」表示するようにして本願発明１のようになすこと、
　および、
　表示手段が、「画面全体の画像データのヒストグラムの演算結果、前記選択された一部の領域の画像データのヒストグラムの演算結果とを識別できるように重ねて」表示するようにして本願発明２のようになすこと
　は、当業者が容易に想到できることであり、
　また、本願発明１、本願発明２の奏する効果も予測できるものである。
　よって、本願発明１及び本願発明２は、刊行物１及び常套事項に基いて当業者が容易に発明をすることができたものである。
　
第５　むすび
　以上のように、本件出願の請求項１及び請求項２に係る発明は、刊行物１に記載された発明、及び常套事項に基いて当業者が容易に発明をすることができたものであるから、特許法第２９条第２項の規定により特許を受けることができない。
　したがって、残る請求項３ないし請求項１４に係る発明について特に検討をするまでもなく、本件出願は拒絶をすべきものである。
　よって、結論のとおり審決する。